(57)【特許請求の範囲】
【請求項１】
複数の記録トラックを含む磁気記録媒体と、
磁気ヘッドと、
制御部と、
を備え、
前記複数の記録トラックは、第１トラックを含み、
前記制御部は、前記磁気ヘッドに、前記第１トラックに含まれる複数の第１トラック記録要素の少なくとも２つに第１情報を記録する第１記録動作を実施させ、
前記制御部は、前記磁気ヘッドに、前記複数の第１トラック記録要素の前記少なくとも２つのうちの１つの第１情報再生記録要素から前記第１情報を再生する第１再生動作を実施させ、
前記複数の記録トラックは、第２トラックをさらに含み、
前記制御部は、前記磁気ヘッドに、前記複数の第１トラック記録要素の少なくとも１つと、前記第２トラックに含まれる複数の第２トラック記録要素の少なくとも１つと、に第２情報を記録する第２記録動作を実施させ、
前記制御部は、前記磁気ヘッドに、前記複数の第１トラック記録要素の前記少なくとも２つと、前記複数の第２トラック記録要素の前記少なくとも１つと、から選択された１つの第２情報再生記録要素から、前記第２情報を再生する第２再生動作を実施させる、磁気記録再生装置。
【請求項２】
前記第２トラックは、前記第１トラックの隣に位置する、請求項１記載の磁気記録再生装置。
【請求項３】
複数の記録トラックを含む磁気記録媒体と、
磁気ヘッドと、
制御部と、
を備え、
前記複数の記録トラックは、第１トラックを含み、
前記制御部は、前記磁気ヘッドに、前記第１トラックに含まれる複数の第１トラック記録要素の少なくとも２つに第１情報を記録する第１記録動作を実施させ、
前記制御部は、前記磁気ヘッドに、前記複数の第１トラック記録要素の前記少なくとも２つのうちの１つの第１情報再生記録要素から前記第１情報を再生する第１再生動作を実施させ、
前記複数の第１トラック記録要素の前記少なくとも２つは、前記第１情報再生記録要素とは異なる非第１情報再生記録要素を含み、
前記制御部は、前記磁気ヘッドに、前記非第１情報再生記録要素に第３情報を記録する第３記録動作をさらに実施させる、磁気記録再生装置。
【請求項４】
前記複数の第１トラック記録要素は、前記非第１情報再生記録要素とは異なり前記第１情報再生記録要素とは異なる記録要素を含み、
前記第３記録動作は、前記非第１情報再生記録要素の少なくとも１つと、前記非第１情報再生記録要素とは異なり前記第１情報再生記録要素とは異なる前記記録要素と、に前記第３情報を記録することを含み、
前記制御部は、前記磁気ヘッドに、前記非第１情報再生記録要素と、前記非第１情報再生記録要素とは異なり前記第１情報再生記録要素とは異なる前記記録要素と、から選択された第３情報再生記録要素から前記第３情報を再生する第３再生動作を実施させる、請求項３記載の磁気記録再生装置。
【請求項５】
前記非第１情報再生記録要素は、複数設けられ、
前記第３記録動作は、前記磁気ヘッドに、前記複数の非第１情報再生記録要素の少なくとも２つに、前記第３情報を記録することを含み、
前記制御部は、前記磁気ヘッドに、前記複数の非第１情報再生記録要素の前記少なくとも２つのうちの１つの第３情報再生記録要素から前記第３情報を再生する第３再生動作を実施させる、請求項３記載の磁気記録再生装置。
【請求項６】
複数の記録トラックを含む磁気記録媒体と、
磁気ヘッドと、
制御部と、
を備え、
前記複数の記録トラックは、第１トラックを含み、
前記制御部は、前記磁気ヘッドに、前記第１トラックに含まれる複数の第１トラック記録要素の少なくとも２つに第１情報を記録する第１記録動作を実施させ、
前記制御部は、前記磁気ヘッドに、前記複数の第１トラック記録要素の前記少なくとも２つのうちの１つの第１情報再生記録要素から前記第１情報を再生する第１再生動作を実施させ、
前記複数の記録トラックは、第２トラックをさらに含み、
前記複数の第１トラック記録要素の前記少なくとも２つは、前記第１情報再生記録要素とは異なる非第１情報再生記録要素を含み、
前記制御部は、前記磁気ヘッドに、前記非第１情報再生記録要素に第３情報を記録する第３記録動作をさらに実施させ、
前記第３記録動作は、前記非第１情報再生記録要素の少なくとも１つと、前記第２トラックに含まれる複数の第２トラック記録要素の少なくとも１つと、に前記第３情報を記録することを含み、
前記制御部は、前記磁気ヘッドに、前記非第１情報再生記録要素と、前記第２トラックに含まれる複数の第２トラック記録要素の前記少なくとも１つと、から選択された第３情報再生記録要素から前記第３情報を再生する第３再生動作を実施させる、磁気記録再生装置。
【請求項７】
前記制御部は、前記複数の第１トラック記録要素の前記少なくとも２つの記録状態に基づいて、前記第１情報再生記録要素を定める第１評価動作をさらに実施し、
前記第１再生動作は、前記第１評価動作により定められた前記第１情報再生記録要素から前記第１情報を再生することを含む、請求項１〜６のいずれか１つに記載の磁気記録再生装置。
【請求項８】
複数の記録トラックを含む磁気記録媒体と、
磁気ヘッドと、
制御部と、
を備え、
前記複数の記録トラックは、第１トラックを含み、
前記制御部は、前記磁気ヘッドに、前記第１トラックに含まれる複数の第１トラック記録要素の少なくとも２つに第１情報を記録する第１記録動作を実施させ、
前記制御部は、前記磁気ヘッドに、前記複数の第１トラック記録要素の前記少なくとも２つのうちの１つの第１情報再生記録要素から前記第１情報を再生する第１再生動作を実施させ、
前記制御部は、前記複数の第１トラック記録要素の前記少なくとも２つの記録状態に基づいて、前記第１情報再生記録要素を定める第１評価動作をさらに実施し、
前記第１再生動作は、前記第１評価動作により定められた前記第１情報再生記録要素から前記第１情報を再生することを含む、磁気記録再生装置。
【請求項９】
前記制御部は、前記複数の第１トラック記録要素の前記少なくとも２つの少なくとも１つの記録状態を評価する第１評価動作をさらに実施し、
前記第１情報再生記録要素の前記記録状態と、前記第１情報と、の差は、しきい値未満である、請求項１〜６のいずれか１つに記載の磁気記録再生装置。
【請求項１０】
複数の記録トラックを含む磁気記録媒体と、
磁気ヘッドと、
制御部と、
を備え、
前記複数の記録トラックは、第１トラックを含み、
前記制御部は、前記磁気ヘッドに、前記第１トラックに含まれる複数の第１トラック記録要素の少なくとも２つに第１情報を記録する第１記録動作を実施させ、
前記制御部は、前記磁気ヘッドに、前記複数の第１トラック記録要素の前記少なくとも２つのうちの１つの第１情報再生記録要素から前記第１情報を再生する第１再生動作を実施させ、
前記制御部は、前記複数の第１トラック記録要素の前記少なくとも２つの記録状態を評価する第１評価動作をさらに実施し、
前記複数の第１トラック記録要素の前記少なくとも２つは、前記第１情報再生記録要素とは異なる非第１情報再生記録要素を含み、
前記第１情報再生記録要素の記録状態と、前記第１情報と、の第１差は、前記非第１情報再生記録要素の記録状態と、前記第１情報と、の第２差よりも小さい、磁気記録再生装置。
【請求項１１】
複数の記録トラックを含む磁気記録媒体と、
磁気ヘッドと、
制御部と、
を備え、
前記複数の記録トラックは、第１トラックを含み、
前記制御部は、前記磁気ヘッドに、前記第１トラックに含まれる複数の第１トラック記録要素の少なくとも２つに第１情報を記録する第１記録動作を実施させ、
前記制御部は、前記磁気ヘッドに、前記複数の第１トラック記録要素の前記少なくとも２つのうちの１つの第１情報再生記録要素から前記第１情報を再生する第１再生動作を実施させ、
前記複数の第１トラック記録要素の前記少なくとも２つは、前記第１情報再生記録要素と、前記第１情報再生記録要素とは異なる非第１情報再生記録要素と、からなり、
前記第１情報再生記録要素の記録状態と、前記第１情報と、の第１差は、前記非第１情報再生記録要素の記録状態と、前記第１情報と、の第２差よりも小さい、磁気記録再生装置。
【請求項１２】
前記非第１情報再生記録要素は、複数設けられ、
前記第１差は、前記複数の非第１情報再生記録要素のそれぞれの記録状態と、前記第１情報と、の差よりも小さい、請求項１１記載の磁気記録再生装置。
【請求項１３】
前記第１評価動作は、Soft Output Viterbi Bit Error Rateの導出を含む、請求項７〜１０のいずれか１つに記載の磁気記録再生装置。
【請求項１４】
前記制御部は、前記第１評価動作の結果に基づいて、前記第１情報再生記録要素を、前記第１情報に関する論理アドレスと関連づける第１関連づけ動作を実施する請求項７〜１０のいずれか１つに記載の磁気記録再生装置。
【請求項１５】
複数の記録トラックを含む磁気記録媒体と、
磁気ヘッドと、
制御部と、
を備え、
前記複数の記録トラックは、第１トラックを含み、
前記制御部は、前記磁気ヘッドに、前記第１トラックに含まれる複数の第１トラック記録要素の少なくとも２つに第１情報を記録する第１記録動作を実施させ、
前記制御部は、前記磁気ヘッドに、前記複数の第１トラック記録要素の前記少なくとも２つのうちの１つの第１情報再生記録要素から前記第１情報を再生する第１再生動作を実施させ、
前記複数の第１トラック記録要素の前記少なくとも２つの数は、３以上である、磁気記録再生装置。
【請求項１６】
複数の記録トラックを含む磁気記録媒体と、
磁気ヘッドと、
制御部と、
を備え、
前記複数の記録トラックは、第１トラックを含み、
前記制御部は、前記磁気ヘッドに、前記第１トラックに含まれる複数の第１トラック記録要素の少なくとも２つに第１情報を記録する第１記録動作を実施させ、
前記制御部は、前記磁気ヘッドに、前記複数の第１トラック記録要素の前記少なくとも２つのうちの１つの第１情報再生記録要素から前記第１情報を再生する第１再生動作を実施させ、
前記磁気ヘッドが前記第１情報を前記複数の第１トラック記録要素の前記少なくとも２つの１つに記録するときの記録速度Ｗｓ（ビット／秒）と、
前記複数の第１トラック記録要素の前記少なくとも２つの数ｎと、
前記制御部に供給され前記第１情報の基となる信号の転送速度Ｉｓ（ビット／秒）と、は、
Ｉｓ≧（Ｗｓ／ｎ）
を満たす、磁気記録再生装置。
【発明の詳細な説明】
【技術分野】
【０００１】
本発明の実施形態は、磁気記録再生装置に関する。
【背景技術】
【０００２】
磁気記録再生装置において、記録密度の向上が求められている。
【先行技術文献】
【特許文献】
【０００３】
【特許文献１】米国特許第６５７８１６４Ｂ１号明細書
【発明の概要】
【発明が解決しようとする課題】
【０００４】
本発明の実施形態は、記録密度を向上できる磁気記録再生装置を提供する。
【課題を解決するための手段】
【０００５】
本発明の実施形態によれば、磁気記録再生装置は、複数の記録トラックを含む磁気記録媒体と、磁気ヘッドと、制御部と、を含む。前記複数の記録トラックは、第１トラックを含む。前記制御部は、前記磁気ヘッドに、前記第１トラックに含まれる複数の第１トラック記録要素の少なくとも２つに第１情報を記録する第１記録動作を実施させる。前記制御部は、前記磁気ヘッドに、前記複数の第１トラック記録要素の前記少なくとも２つのうちの１つの第１情報再生記録要素から前記第１情報を再生する第１再生動作を実施させる。前記複数の記録トラックは、第２トラックをさらに含む。前記制御部は、前記磁気ヘッドに、前記複数の第１トラック記録要素の少なくとも１つと、前記第２トラックに含まれる複数の第２トラック記録要素の少なくとも１つと、に第２情報を記録する第２記録動作を実施させる。前記制御部は、前記磁気ヘッドに、前記複数の第１トラック記録要素の前記少なくとも２つと、前記複数の第２トラック記録要素の前記少なくとも１つと、から選択された１つの第２情報再生記録要素から、前記第２情報を再生する第２再生動作を実施させる。
本発明の実施形態によれば、磁気記録再生装置は、複数の記録トラックを含む磁気記録媒体と、磁気ヘッドと、制御部と、を含む。前記複数の記録トラックは、第１トラックを含む。前記制御部は、前記磁気ヘッドに、前記第１トラックに含まれる複数の第１トラック記録要素の少なくとも２つに第１情報を記録する第１記録動作を実施させる。前記制御部は、前記磁気ヘッドに、前記複数の第１トラック記録要素の前記少なくとも２つのうちの１つの第１情報再生記録要素から前記第１情報を再生する第１再生動作を実施させる。前記複数の第１トラック記録要素の前記少なくとも２つは、前記第１情報再生記録要素とは異なる非第１情報再生記録要素を含む。前記制御部は、前記磁気ヘッドに、前記非第１情報再生記録要素に第３情報を記録する第３記録動作をさらに実施させる。
本発明の実施形態によれば、磁気記録再生装置は、複数の記録トラックを含む磁気記録媒体と、磁気ヘッドと、制御部と、を含む。前記複数の記録トラックは、第１トラックを含む。前記制御部は、前記磁気ヘッドに、前記第１トラックに含まれる複数の第１トラック記録要素の少なくとも２つに第１情報を記録する第１記録動作を実施させる。前記制御部は、前記磁気ヘッドに、前記複数の第１トラック記録要素の前記少なくとも２つのうちの１つの第１情報再生記録要素から前記第１情報を再生する第１再生動作を実施させる。前記複数の記録トラックは、第２トラックをさらに含む。前記複数の第１トラック記録要素の前記少なくとも２つは、前記第１情報再生記録要素とは異なる非第１情報再生記録要素を含む。前記制御部は、前記磁気ヘッドに、前記非第１情報再生記録要素に第３情報を記録する第３記録動作をさらに実施させる。前記第３記録動作は、前記非第１情報再生記録要素の少なくとも１つと、前記第２トラックに含まれる複数の第２トラック記録要素の少なくとも１つと、に前記第３情報を記録することを含む。前記制御部は、前記磁気ヘッドに、前記非第１情報再生記録要素と、前記第２トラックに含まれる複数の第２トラック記録要素の前記少なくとも１つと、から選択された第３情報再生記録要素から前記第３情報を再生する第３再生動作を実施させる。
本発明の実施形態によれば、磁気記録再生装置は、複数の記録トラックを含む磁気記録媒体と、磁気ヘッドと、制御部と、を含む。前記複数の記録トラックは、第１トラックを含む。前記制御部は、前記磁気ヘッドに、前記第１トラックに含まれる複数の第１トラック記録要素の少なくとも２つに第１情報を記録する第１記録動作を実施させる。前記制御部は、前記磁気ヘッドに、前記複数の第１トラック記録要素の前記少なくとも２つのうちの１つの第１情報再生記録要素から前記第１情報を再生する第１再生動作を実施させる。前記制御部は、前記複数の第１トラック記録要素の前記少なくとも２つの記録状態に基づいて、前記第１情報再生記録要素を定める第１評価動作をさらに実施する。前記第１再生動作は、前記第１評価動作により定められた前記第１情報再生記録要素から前記第１情報を再生することを含む。
本発明の実施形態によれば、磁気記録再生装置は、複数の記録トラックを含む磁気記録媒体と、磁気ヘッドと、制御部と、を含む。前記複数の記録トラックは、第１トラックを含む。前記制御部は、前記磁気ヘッドに、前記第１トラックに含まれる複数の第１トラック記録要素の少なくとも２つに第１情報を記録する第１記録動作を実施させる。前記制御部は、前記磁気ヘッドに、前記複数の第１トラック記録要素の前記少なくとも２つのうちの１つの第１情報再生記録要素から前記第１情報を再生する第１再生動作を実施させる。前記制御部は、前記複数の第１トラック記録要素の前記少なくとも２つの少なくとも１つの記録状態を評価する第１評価動作をさらに実施する。前記第１情報再生記録要素の前記記録状態と、前記第１情報と、の差は、しきい値未満である。
本発明の実施形態によれば、磁気記録再生装置は、複数の記録トラックを含む磁気記録媒体と、磁気ヘッドと、制御部と、を含む。前記複数の記録トラックは、第１トラックを含む。前記制御部は、前記磁気ヘッドに、前記第１トラックに含まれる複数の第１トラック記録要素の少なくとも２つに第１情報を記録する第１記録動作を実施させる。前記制御部は、前記磁気ヘッドに、前記複数の第１トラック記録要素の前記少なくとも２つのうちの１つの第１情報再生記録要素から前記第１情報を再生する第１再生動作を実施させる。前記制御部は、前記複数の第１トラック記録要素の前記少なくとも２つの記録状態を評価する第１評価動作をさらに実施する。前記複数の第１トラック記録要素の前記少なくとも２つは、前記第１情報再生記録要素とは異なる非第１情報再生記録要素を含む。前記第１情報再生記録要素の記録状態と、前記第１情報と、の第１差は、前記非第１情報再生記録要素の記録状態と、前記第１情報と、の第２差よりも小さい。
本発明の実施形態によれば、磁気記録再生装置は、複数の記録トラックを含む磁気記録媒体と、磁気ヘッドと、制御部と、を含む。前記複数の記録トラックは、第１トラックを含む。前記制御部は、前記磁気ヘッドに、前記第１トラックに含まれる複数の第１トラック記録要素の少なくとも２つに第１情報を記録する第１記録動作を実施させる。前記制御部は、前記磁気ヘッドに、前記複数の第１トラック記録要素の前記少なくとも２つのうちの１つの第１情報再生記録要素から前記第１情報を再生する第１再生動作を実施させる。前記複数の第１トラック記録要素の前記少なくとも２つは、前記第１情報再生記録要素と、前記第１情報再生記録要素とは異なる非第１情報再生記録要素と、からなる。前記第１情報再生記録要素の記録状態と、前記第１情報と、の第１差は、前記非第１情報再生記録要素の記録状態と、前記第１情報と、の第２差よりも小さい。
本発明の実施形態によれば、磁気記録再生装置は、複数の記録トラックを含む磁気記録媒体と、磁気ヘッドと、制御部と、を含む。前記複数の記録トラックは、第１トラックを含む。前記制御部は、前記磁気ヘッドに、前記第１トラックに含まれる複数の第１トラック記録要素の少なくとも２つに第１情報を記録する第１記録動作を実施させる。前記制御部は、前記磁気ヘッドに、前記複数の第１トラック記録要素の前記少なくとも２つのうちの１つの第１情報再生記録要素から前記第１情報を再生する第１再生動作を実施させる。前記複数の第１トラック記録要素の前記少なくとも２つの数は、３以上である。
本発明の実施形態によれば、磁気記録再生装置は、複数の記録トラックを含む磁気記録媒体と、磁気ヘッドと、制御部と、を含む。前記複数の記録トラックは、第１トラックを含む。前記制御部は、前記磁気ヘッドに、前記第１トラックに含まれる複数の第１トラック記録要素の少なくとも２つに第１情報を記録する第１記録動作を実施させる。前記制御部は、前記磁気ヘッドに、前記複数の第１トラック記録要素の前記少なくとも２つのうちの１つの第１情報再生記録要素から前記第１情報を再生する第１再生動作を実施させる。前記磁気ヘッドが前記第１情報を前記複数の第１トラック記録要素の前記少なくとも２つの１つに記録するときの記録速度Ｗｓ（ビット／秒）と、前記複数の第１トラック記録要素の前記少なくとも２つの数ｎと、前記制御部に供給され前記第１情報の基となる信号の転送速度Ｉｓ（ビット／秒）と、は、Ｉｓ≧（Ｗｓ／ｎ）を満たす。
【図面の簡単な説明】
【０００６】
【図１】図１（ａ）〜図１（ｆ）は、第１の実施形態に係る磁気記録再生装置を例示する模式図である。
【図２】図２（ａ）〜図２（ｃ）は、第１の実施形態に係る磁気記録再生装置の別の動作を例示する模式図である。
【図３】図３（ａ）〜図３（ｃ）は、第１の実施形態に係る磁気記録再生装置の別の動作を例示する模式図である。
【図４】図４（ａ）及び図４（ｂ）は、磁気記録再生装置の動作を例示する模式図である。
【図５】磁気記録再生装置の特性を例示するグラフである。
【図６】実施形態に係る磁気記録再生装置の動作を例示するフローチャート図である。
【図７】実施形態に係る磁気記録再生装置の動作を例示するフローチャート図である。
【発明を実施するための形態】
【０００７】
以下に、本発明の各実施の形態について図面を参照しつつ説明する。  
なお、図面は模式的または概念的なものであり、各部分の厚みと幅との関係、部分間の大きさの比率などは、必ずしも現実のものと同一とは限らない。また、同じ部分を表す場合であっても、図面により互いの寸法や比率が異なって表される場合もある。  
なお、本願明細書と各図において、既出の図に関して前述したものと同様の要素には同一の符号を付して詳細な説明は適宜省略する。
【０００８】
（第１の実施形態）  
図１（ａ）〜図１（ｆ）は、第１の実施形態に係る磁気記録再生装置を例示する模式図である。  
図１（ａ）は、ブロック図である。図１（ｂ）は、磁気記録再生装置の一部を例示する模式図である。図１（ｃ）〜図１（ｆ）は、磁気記録再生装置の動作を例示する模式図である。
【０００９】
図１（ａ）に示すように、本実施形態に係る磁気記録再生装置１５０は、磁気記録媒体８０と、磁気ヘッド１１０と、制御部１１５と、を含む。この例では、インターフェース１１６がさらに設けられている。
【００１０】
インターフェース１１６を介して入手されたデータ（情報）が、磁気記録媒体８０に記録される。磁気記録媒体８０に記録されたデータが再生され、インターフェース１１６を介して取り出される。記録及び再生が磁気ヘッド１１０により行われる。制御部１１５は、磁気ヘッド１１０の動作を制御する。例えば、制御部１１５から磁気ヘッド１１０に信号が供給される。この信号に基づいて、磁気ヘッド１１０は、磁気記録媒体８０にデータを記録する。磁気記録媒体８０は、例えば磁気ディスクである。
【００１１】
図１（ｂ）に示すように、磁気記録媒体８０は、例えば、複数の記録トラックＴｒ（トラック）を有する。複数の記録トラックＴｒのそれぞれは、トラック方向Ｄｔ（ダウントラック方向）に沿って延在する。トラック方向Ｄｔは、例えば、磁気ディスクの円周に実質的に沿う。複数の記録トラックＴｒは、トラック幅方向Ｄｒに並ぶ。トラック幅方向Ｄｒは、磁気ディスクの回転軸を通る放射方向である。この例では、複数のシリンダ８０ｃが設けられている。複数の記録トラックＴｒのそれぞれに、複数の記録領域（例えばセクタ）が設けられる。
【００１２】
このように、磁気記録媒体８０は、複数の記録トラックＴｒを含む。複数の記録トラックＴｒは、例えば、第１トラックＴｒ１及び第２トラックＴｒ２などを含む。複数の記録トラックＴｒは、トラックＴｒ０を含む。
【００１３】
以下、磁気記録再生装置１５０における動作の例について説明する。以下の動作は、例えば、制御部１１５により行われる。
【００１４】
図１（ｃ）は、初期状態ＳＴ０を例示している。図１（ｄ）は、第１記録動作ＷＯ１を例示している。図１（ｅ）は、第１評価動作ＥＯ１を例示している。図１（ｆ）は、第１再生動作ＲＯ１を例示している。
【００１５】
図１（ｃ）に示すように、トラックＴｒ０に複数のトラック記録要素ｅ０が設けられる。複数のトラック記録要素ｅ０は、トラック方向Ｄｔに沿って並ぶ。この例では、複数のトラック記録要素ｅ０は、記録状態ｓｗ（情報が記録された状態）である。複数のトラック記録要素ｅ０のそれぞれは、例えば、セクタに対応する。
【００１６】
第１トラックＴｒ１は、複数の第１トラック記録要素ｅ１を含む。複数の第１トラック記録要素ｅ１は、トラック方向Ｄｔに沿って並ぶ。複数の第１トラック記録要素ｅ１の一部は、記録状態ｓｗである。複数の第１トラック記録要素ｅ１の別の一部は、記録前状態ｓ０である。複数の第１トラック記録要素ｅ１のそれぞれは、セクタに対応する。
【００１７】
この例では、第１トラックＴｒ１に含まれる複数のトラック記録要素は、記録前状態ｓ０である。第１トラックＴｒ１に含まれる複数のトラック記録要素のそれぞれは、例えば、セクタに対応する。
【００１８】
図１（ｄ）に示すように、第１記録動作ＷＯ１においては、第１トラックＴｒに含まれる複数の第１トラック記録要素ｅ１の少なくとも２つに、第１情報が記録される。この例では、複数の第１トラック記録要素ｅ１は、記録要素ｗ１１、ｗ１２、ｗ１３、ｗ１４及びｗ１５を含む。これらの５つの記録要素に、第１情報が記録される。実施形態において、第１情報が記録される記録要素の数は、２以上である。第１情報が記録される記録要素の数は、２以上の任意の数である。
【００１９】
一般には、記録される情報（第１情報）は、１つの記録要素に記録される。これに対して、実施形態においては、複数の記録要素（記録要素ｗ１１、ｗ１２、ｗ１３、ｗ１４及びｗ１５など）に、記録される情報（第１情報）が記録される。
【００２０】
すなわち、制御部１１５は、磁気ヘッド１１０に、第１記録動作ＷＯ１を実施させる。第１記録動作ＷＯ１においては、第１トラックＴｒ１に含まれる複数の第１トラック記録要素ｅ１の少なくとも２つ（例えば、記録要素ｗ１１、ｗ１２、ｗ１３、ｗ１４及びｗ１５など）に第１情報を記録する。
【００２１】
図１（ｅ）に示すように、第１評価動作ＥＯ１においては、上記の第１情報を記録した複数の記録要素の記録状態が評価される。そして、その結果に基づいて、複数の記録要素のうちから、特定の記録要素が定められる。この特定の記録要素を、第１情報再生記録要素ｒ１と言う。
【００２２】
そして、図１（ｆ）に示すように、第１再生動作ＲＯ１においては、複数の第１トラック記録要素ｅ１の上記の少なくとも２つ（例えば、記録要素ｗ１１、ｗ１２、ｗ１３、ｗ１４及びｗ１５など）のうちの１つの第１情報再生記録要素ｒ１から第１情報を再生する。この動作は、制御部１１５により行われる。すなわち、制御部１１５は、磁気ヘッド１１０に、複数の第１トラック記録要素ｅ１の上記の少なくとも２つのうちの１つの第１情報再生記録要素ｒ１から第１情報を再生する第１再生動作を実施させる。
【００２３】
この第１情報再生記録要素ｒ１は、例えば、記録状態が良好な記録要素である。記録状態が良好な第１情報再生記録要素ｒ１を、第１情報が記録される記録要素とする。そして、他の記録要素は、例えば、非記録の記録要素として、次回以降の新たな記録に用いられる。
【００２４】
例えば、良好な状態で記録された記録要素が第１情報の記録（最終的な記録）に用いられ、他の記録要素は別の情報の記録に用いられる。これにより、例えば、１つの記録要素における設計の余裕度が広がる。これにより、例えば、１つの記録要素のサイズを小さくできる。これにより、記録密度が向上できる。
【００２５】
このように、図１（ｅ）に示した上記の第１評価動作ＥＯ１において、第１情報再生記録要素ｒ１が定められる。すなわち、制御部１１５は、第１評価動作ＥＯ１を実施する。第１評価動作ＥＯ１において、制御部１１５は、複数の第１トラック記録要素ｅ１の上記の少なくとも２つの記録状態に基づいて、第１情報再生記録要素ｒ１を定める。例えば、第１評価動作ＥＯ１においては、磁気ヘッド１１０に、複数の第１トラック記録要素ｅ１の上記の少なくとも２つ（例えば、記録要素ｗ１１、ｗ１２、ｗ１３、ｗ１４及びｗ１５など）に記録された情報（第１情報に対応する情報）を再生させる。そして、この記録された情報の再生結果に基づいて、第１情報再生記録要素ｒ１を定める。第１情報再生記録要素ｒ１は、複数の第１トラック記録要素ｅ１の上記の少なくとも２つ（例えば、記録要素ｗ１１、ｗ１２、ｗ１３、ｗ１４及びｗ１５など）のうちで、例えば、記録状態が良好な記録要素である。
【００２６】
第１情報再生記録要素ｒ１を除く記録要素は、非第１情報再生記録要素ｎ１とされる。すなわち、複数の第１トラック記録要素ｅ１の上記の少なくとも２つ（例えば、記録要素ｗ１１、ｗ１２、ｗ１３、ｗ１４及びｗ１５など）は、第１情報再生記録要素ｒ１とは異なる非第１情報再生記録要素ｎ１を含む。図１（ｅ）に示す例では、記録要素ｗ１１が、第１情報再生記録要素ｒ１とされている。そして、記録要素ｗ１２、ｗ１３、ｗ１４及びｗ１５が、非第１情報再生記録要素ｎ１とされている。
【００２７】
そして、第１再生動作ＲＯ１は、第１評価動作ＥＯ１により定められた第１情報再生記録要素ｒ１から第１情報を再生することを含む。そして、非第１情報再生記録要素ｎ１（記録要素ｗ１２、ｗ１３、ｗ１４及びｗ１５）は、次回以降の新たな記録に用いられる。
【００２８】
上記の例では、１つの情報が、１つのトラック（第１トラックＴｒ１）に含まれる複数の記録要素に記録される。１つのトラックに含まれる複数の記録要素のそれぞれに、１つの情報を記録することで、例えば、磁気ディスクの１回の回転中にこの動作が実施できる。この動作の時間が短くでき、高速の動作が実施できる。
【００２９】
実施形態において、１つの情報が、複数の記録トラックＴｒ（第１トラックＴｒ１及び第２トラックＴｒ２など）のそれぞれに含まれる複数の記録要素に記録されても良い。
【００３０】
図２（ａ）〜図２（ｃ）は、第１の実施形態に係る磁気記録再生装置の別の動作を例示する模式図である。  
図２（ａ）は、第２記録動作ＷＯ２を例示している。図２（ｂ）は、第２評価動作ＥＯ２を例示している。図２（ｃ）は、第２再生動作ＲＯ２を例示している。
【００３１】
図２（ａ）に示すように、複数の記録トラックＴｒは、第１トラックＴｒ１に加えて、第２トラックＴｒ２をさらに含む。制御部１１５は、磁気ヘッド１１０に、第２記録動作ＷＯ２を実施させる。
【００３２】
第２記録動作ＷＯ２は、記録要素の少なくとも２つに、第２情報を記録する。この記録要素の少なくとも２つは、第１トラックＴｒ１に含まれる複数の第１トラック記録要素ｅ１（この例では、記録要素ｗ１１、ｗ１２及びｗ１３）と、第２トラックＴｒ２に含まれる複数の第２トラック記録要素ｅ２（この例では、記録要素ｗ２４及びｗ２５）と、から選択される。
【００３３】
第２記録動作ＷＯ２は、例えば、第１トラックＴｒ１に含まれる複数の第１トラック記録要素ｅ１の少なくとも２つ（この例では、記録要素ｗ１１、ｗ１２及びｗ１３）と、第２トラックＴｒ２に含まれる複数の第２トラック記録要素ｅ２の少なくとも１つ（この例では、記録要素ｗ２４及びｗ２５）と、に第２情報を記録しても良い。
【００３４】
図２（ｂ）に示すように、第２評価動作ＥＯ２においては、例えば、制御部１１５は、第２情報再生記録要素ｒ２を定める。この例では、記録要素ｗ１１が、第２情報再生記録要素ｒ２とされ、記録要素ｗ１２、ｗ１３、ｗ２４及びｗ２５が、非第２情報再生記録要素ｎ２とされている。実施形態において、複数の第２トラック記録要素ｅ２の１つが、第２情報再生記録要素ｒ２とされても良い。例えば、記録要素ｗ２４が、第２情報再生記録要素ｒ２とされ、記録要素ｗ１１、ｗ１２、ｗ１３及びｗ２５が、非第２情報再生記録要素ｎ２とされても良い。
【００３５】
図２（ｃ）に示すように、制御部１１５は、磁気ヘッド１１０に第２再生動作ＲＯ２を実施させる。第２再生動作ＲＯ２においては、第２情報再生記録要素ｒ２から、第２情報を再生する。第２情報再生記録要素ｒ２は、複数の第１トラック記録要素ｅ１の上記の少なくとも２つと、複数の第２トラック記録要素ｅ２の上記の少なくとも１つと、の１つである。
【００３６】
このとき、第２情報再生記録要素ｒ２は、第２情報が記録された複数の記録要素のうちで、記録状態が良好な記録要素である。良好な記録状態の記録要素が第２情報再生記録要素ｒ２として選ばれることで、良好な記録及び再生が実施できる。
【００３７】
例えば、図２（ｂ）に示す第２評価動作ＥＯ２において、制御部１１５は、磁気ヘッド１１０に、複数の第１トラック記録要素ｅ１、及び、複数の第２トラック記録要素ｅ２から、記録された第２情報を再生させる。制御部１１５は、再生させた結果に基づいて、第２情報再生記録要素ｒ２を定める。第２情報再生記録要素ｒ２は、良好な記録状態を有する。
【００３８】
例えば、第２評価動作ＥＯ２において、制御部１１５は、磁気ヘッド１１０に、複数の第１トラック記録要素ｅ１の上記の少なくとも２つ、及び、複数の第２トラック記録要素ｅ２から、記録された第２情報を再生させる。
【００３９】
このように、１つの情報が、複数の記録トラックＴｒ（第１トラックＴｒ１及び第２トラックＴｒ２など）のそれぞれに含まれる複数の記録要素に記録されても良い。このとき、第２トラックＴｒ２は、第１トラックＴｒ１に物理的に近いことが好ましい。複数の記録トラックＴｒへの記録及び再生が短時間で実施できる。例えば、第２トラックＴｒ２は、第１トラックＴｒ１の隣に位置することが好ましい。
【００４０】
上記のように、第１記録動作ＷＯ１及び第１再生動作ＲＯ１により、複数のトラックＴｒのうちの１つ（第１トラックＴｒ１）の複数の記録要素に第１情報が一旦記録され、そのうちの１つの記録要素が実際の記録（最終的な記録）として用いられる。他の記録要素は、別の記録に用いられる。以下、この別の記録の例について説明する。
【００４１】
図３（ａ）〜図３（ｃ）は、第１の実施形態に係る磁気記録再生装置の別の動作を例示する模式図である。  
図３（ａ）は、第３記録動作ＷＯ３を例示している。図３（ｂ）は、第３評価動作ＥＯ３を例示している。図３（ｃ）は、第３再生動作ＲＯ３を例示している。
【００４２】
図３（ａ）に示すように、複数の第１トラック記録要素ｅ１の上記の少なくとも１つは、第１情報再生記録要素ｒ１とは異なる非第１情報再生記録要素ｎ１を含んでいる。第１情報再生記録要素ｒ１及び非第１情報再生記録要素ｎ１は、例えば、上記の第１評価動作ＥＯ１などにより定められる。第１情報再生記録要素ｒ１及び非第１情報再生記録要素ｎ１が、第２評価動作ＥＯ２などにより定められても良い。
【００４３】
例えば、複数の第１トラック記録要素ｅ１の上記の少なくとも２つは、第１情報再生記録要素ｒ１とは異なる非第１情報再生記録要素ｎ１を含んでいても良い。
【００４４】
制御部１１５は、磁気ヘッド１１０に、第３記録動作ＷＯ３を実施させる。第３記録動作ＷＯ３は、非第１情報再生記録要素ｎ１に第３情報を記録する。この例では、記録要素ｗ３１、ｗ３２、ｗ３３、ｗ３４及びｗ３５に第３情報が記録される。記録要素ｗ３２、ｗ３３、ｗ３４及びｗ３５は、非第１情報再生記録要素ｎ１である。すなわち、記録要素ｗ３２、ｗ３３、ｗ３４及びｗ３５は、第１評価動作ＥＯ１において、非第１情報再生記録要素ｎ１とされている。
【００４５】
すなわち、記録要素ｗ３２、ｗ３３、ｗ３４及びｗ３５は、第１情報が一旦記録され、その後、新たな記録として用いられている。この例では、記録要素ｗ３１にも第３情報が記録されている。記録要素ｗ３１は、第１トラックＴｒ１の複数の第１トラック記録要素ｅ１の１つである。
【００４６】
図３（ｂ）に示すように、第３情報が記録された記録要素から、第３情報再生記録要素ｒ３が定められる。この例では、記録要素ｗ３５が第３情報再生記録要素ｒ３となる。記録要素ｗ３１、ｗ３２、ｗ３３及びｗ３４は、非第３情報再生記録要素ｎ３とされる。
【００４７】
図３（ｃ）に示すように、制御部１１５は、磁気ヘッド１１０に、第３再生動作ＲＯ３を実施させる。第３再生動作ＲＯ３では、第３情報再生記録要素ｒ３から、記録された第３情報を再生する。第３情報再生記録要素ｒ３は、複数の非第１情報再生記録要素ｎ１の少なくとも２つのうちの１つである。
【００４８】
このように、第１情報の記録（最終的な記録）に用いられなかった記録要素に、別の情報（第３情報）が記録される。この第３情報の記録においても、複数の記録要素のそれぞれに第３情報が一旦記録されても良く、このうちの１つが最終的に第３情報の記録に用いられても良い。
【００４９】
すなわち、非第１情報再生記録要素ｎ１が、例えば、第１評価動作ＥＯ１において定められる。このとき、第３記録動作ＷＯ３は、磁気ヘッド１１０に、非第１情報再生記録要素ｎ１の少なくとも１つに、第３情報を記録することを含む。そして、制御部１１５は、磁気ヘッド１１０に、第３情報再生記録要素ｒ３から第３情報を再生する第３再生動作ＲＯ３を実施させる。第３情報再生記録要素ｒ３は、非第１情報再生記録要素ｎ１である。
【００５０】
例えば、非第１情報再生記録要素ｎ１は、複数設けられる。複数の非第１情報再生記録要素ｎ１が、例えば、第１評価動作ＥＯ１において定められる。このとき、第３記録動作ＷＯ３は、磁気ヘッド１１０に、複数の非第１情報再生記録要素ｎ１の少なくとも２つに、第３情報を記録することを含む。そして、制御部１１５は、磁気ヘッド１１０に、第３情報再生記録要素ｒ３から第３情報を再生する第３再生動作ＲＯ３を実施させる。第３情報再生記録要素ｒ３は、複数の非第１情報再生記録要素ｎ１の上記の少なくとも２つのうちの１つである。
【００５１】
第３記録動作ＷＯ３は、以下でも良い。複数の記録トラックは、第２トラックＴｒ２をさらに含む。複数の第１トラック記録要素ｅ１の上記の少なくとも２つは、第１情報再生記録要素ｒ１とは異なる非第１情報再生記録要素ｎ１を含む。制御部１１５は、磁気ヘッド１１０に、非第１情報再生記録要素ｎ１に第３情報を記録する第３記録動作ＷＯ３を実施させる。第３記録動作ＷＯ３は、非第１情報再生記録要素ｎ１の少なくとも１つと、第２トラックＴｒ２に含まれる複数の第２トラック記録要素ｅ２の少なくとも１つと、に第３情報を記録することを含む。このとき、制御部１１５は、磁気ヘッド１１０に、非第１情報再生記録要素ｎ１と、第２トラックＴｒ２に含まれる複数の第２トラック記録要素ｅ２の上記の少なくとも１つと、から選択された第３情報再生記録要素ｒ３から第３情報を再生する第３再生動作ＲＯ３を実施させる。
【００５２】
上記の第３評価動作ＥＯ３において、第３情報再生記録要素ｒ３が定められ、非第３情報再生記録要素ｎ３が定められる。第３情報再生記録要素ｒ３には、例えば、第３情報が最終的に記録される。非第３情報再生記録要素ｎ３は、第３情報が一旦記録された記録要素のうちで、第３情報再生記録要素ｒ３とは異なる記録要素である。実施形態において、非第３情報再生記録要素ｎ３は、例えば、さらに別の情報の記録に用いられても良い。
【００５３】
以下、評価動作（例えば、第１評価動作ＥＯ１）の例について説明する。
【００５４】
図４（ａ）及び図４（ｂ）は、磁気記録再生装置の動作を例示する模式図である。  
図４（ａ）は、実施形態に係る磁気記録再生装置１５０の動作を例示している。図４（ｂ）は、参考例の磁気記録再生装置１５０Ｒの動作を例示している。参考例の磁気記録再生装置１５０Ｒにおいては、第１情報は、１つの記録要素に記録される。
【００５５】
磁気記録再生装置１５０において、磁気記録媒体８０の複数の記録要素（セクタ）に情報が記録される。記録された情報が、磁気ヘッド１１０により検出される。検出された信号が、制御部１１５に供給される。
【００５６】
図４（ａ）に示すように、磁気記録再生装置１５０においては、検出された信号がプリアンプに入力され（ステップＳ０１）、Ａ／Ｄ変換が行われる（ステップＳ０２）。そして、信号にフィルタ処理が行われる（ステップＳ０３）。以上の処理は、例えば、情報が記録された複数の記録要素のそれぞれについて行われる。さらに、複数の記録要素のそれぞれについて、例えば、軟判定状態（Soft Output Viterbi Algorithm：ＳＯＶＡ）でのＢＥＲ（Bit Error Rate）が、算出される（ステップＳ１１）。そして、複数の記録要素のそれぞれのＳＯＶＡ−ＢＥＲが比較される（ステップＳ１２）。比較の結果に基づいて、特定の１つの記録要素（第１情報再生記録要素ｒ１）について、記憶領域の番地（Logical Block Address：ＬＢＡ）の管理が行われる（ステップＳ１３）。
【００５７】
すなわち、第１情報が記録された複数の第１トラック記録要素ｅ１から記録された情報を再生し、ＳＯＶＡでの記録品質（ＢＥＲ）を比較する。そして、例えば、記録品質の良好な（例えば最も記録品質が良好な）記録要素を、第１情報再生記録要素ｒ１とする。第１情報再生記録要素ｒ１と、所定のＬＢＡと、が関連づけられる。すなわち、第１情報は、第１情報再生記録要素ｒ１に最終的に記録される。そして、他の記録要素（非第１情報再生記録要素ｎ１）は、未使用領域として管理される。例えば、後の記録に用いられる。
【００５８】
一方、図４（ｂ）に示すように、磁気記録再生装置１５０Ｒにおいては、第１情報は、１つの記録要素に記録され、記録された情報がその１つの記録要素から検出される。検出された信号がプリアンプに入力され（ステップＳ０１）、Ａ／Ｄ変換が行われ（ステップＳ０２）、フィルタ処理が行われる（ステップＳ０３）。そして、ＳＯＶＡで情報の軟判定が行われる（ステップＳ１１）。そして、硬判定として、ＬＤＰＣ（Low-density parity-check code）のデコーダ処理が行われる（ステップＳ９１）。すなわち、参考例においては、ビタアルゴリズムの軟判定と、ＬＤＰＣの硬判定を併用することで、情報の復号が行われる。復号された情報の誤り発生率を比較することで、記録品質の判定が行われる。 
実施形態においては、複数の記録要素に記録するべき第１情報が記録され、良好な状態で記録された記録要素が第１情報の記録（最終的な記録）に用いられる。そして、他の記録要素は別の情報の記録に用いられる。これにより、例えば、１つの記録要素における設計の余裕度が広がり、例えば、記録密度が向上できる。
【００５９】
図５は、磁気記録再生装置の特性を例示するグラフである。  
図５の横軸は、記録品質（ビットエラーレート）ＢＥＲ１である。縦軸は、頻度Ｆ１である。図５には、実施形態に係る磁気記録再生装置１５０と、参考例の磁気記録再生装置１５０Ｒと、における特性が例示されている。参考例の磁気記録再生装置１５０Ｒにおいて、記録品質ＢＥＲ１（例えばＳＯＶＡ−ＢＥＲ）の値のそれぞれは、頻度Ｆ１に応じて生じる。例えば、記録再生を複数回試行した場合、一定の確率で記録品質ＢＥＲ１が低い場合が発生する。高い記録品質ＢＥＲ１を得るために、例えば、記録密度の向上が制限される。
【００６０】
図５に示すように、実施形態に係る磁気記録再生装置１５０においては、記録品質ＢＥＲ１が高い。これは、実施形態においては、複数の記録要素に記録すべき情報（第１情報）を一旦記録し、その後、良好な記録状態で記録された記録要素（第１情報再生記録要素ｒ１）を第１情報の最終的な記録に用いるためである。そして、最終的な記録に用いなかった非第１情報再生記録要素ｎ１が、他の情報の記録に用いられる。
【００６１】
すなわち、磁気記録再生装置１５０においては、参考例の磁気記録再生装置１５０Ｒでの記録品質の分布の中から、記録品質ＢＥＲ１が高い記録（図５の左側部分）が選択される。記録品質ＢＥＲ１が低い記録（図５の右側部分）は選択されず、別の情報の記録に用いられる。この記録品質ＢＥＲ１が低い記録の部分は、高い記録品質ＢＥＲ１が得られるまで、記録と、未使用領域としての開放（未使用領域として管理）と、が繰り返して行われる。
【００６２】
このため、実施形態においては、記録再生の品質が高い。記録再生のばらつきが小さい。平均エラーレートが改善できる。この改善により、記録密度を向上できる。
【００６３】
例えば、参考例においては、１回の記録で成功するように、記録密度の設計が行われる。これに対して、実施形態においては、複数の記録要素に、記録すべき情報（第１情報）を記録する。そして、例えば、ＳＯＶＡ−ＢＥＲにより記録品質を比較する。そして、記録品質が高い記録を残す。これにより、記録品質の分布が高品質側にシフトできる。この記録品質のシフト分により、線記録密度（ｂｐｉ）が向上できる。実施形態によれば、高い記録再生の品質を維持しつつ、記録密度が向上できる。
【００６４】
このように、実施形態において、制御部１１５は、第１評価動作ＥＯ１を行う。第１評価動作ＥＯ１は、複数の第１トラック記録要素ｅ１の上記の少なくとも２つの記録状態を評価する。複数の第１トラック記録要素ｅ１の上記の少なくとも２つは、第１情報再生記録要素ｒ１と、非第１情報再生記録要素ｎ１と、を含む。非第１情報再生記録要素ｎ１は、第１情報再生記録要素ｒ１とは異なる。例えば、第１情報再生記録要素の記録状態は、記録すべき第１情報に近い。例えば、第１情報再生記録要素ｒ１の記録状態と、第１情報と、の差を第１差とする。非第１情報再生記録要素ｎ１の記録状態と、第１情報と、の差を第２差とする。第１差は、第２差よりも小さい。
【００６５】
例えば、第１情報再生記録要素ｒ１の記録状態は、第１情報を記録した記録要素（複数の第１トラック記録要素ｅ１の上記の少なくとも２つ）の中で、最も良好である。第１情報再生記録要素ｒ１の記録状態は、記録すべき第１情報に最も近い。例えば、複数の第１トラック記録要素ｅ１の上記の少なくとも２つは、第１情報再生記録要素ｒ１と、第１情報再生記録要素ｒ１とは異なる非第１情報再生記録要素ｎ１と、からなる。このとき、第１情報再生記録要素ｒ１の記録状態と、第１情報と、の差（第１差）は、非第１情報再生記録要素ｎ１の記録状態と、第１情報と、の差（第２差）よりも小さい。非第１情報再生記録要素ｎ１は、複数設けられても良い。このとき、上記の第１差は、複数の非第１情報再生記録要素ｎ１のそれぞれの記録状態と、第１情報と、の差よりも小さい。すなわち、第１情報再生記録要素ｒ１の記録状態は最も良好である。
【００６６】
上記のように、第１評価動作ＥＯ１は、例えば、Soft Output Viterbi Bit Error Rateの導出を含んでも良い。
【００６７】
実施形態において、上記のように、制御部１１５は、第１評価動作ＥＯ１の結果に基づいて第１関連づけ動作を実施する。第１関連づけ動作は、例えば、第１情報再生記録要素ｒ１を、記録すべき第１情報に関する論理アドレスと関連づける。
【００６８】
図６は、実施形態に係る磁気記録再生装置の動作を例示するフローチャート図である。  図６に示すように、実施形態においては、複数の記録要素（セクタ）に記録を行う（ステップＳ１１０）。記録した複数の記録要素のそれぞれのＳＯＶＡ−ＢＥＲを計算する（ステップＳ１１）。複数の記録要素のそれぞれのＳＯＶＡ−ＢＥＲの計算結果を比較する（ステップＳ１２）。そして、例えば、ＳＯＶＡ−ＢＥＲが最も良い記録要素を、アドレスと関連づける（ステップＳ１３）。例えば、ＬＢＡ管理機構で、ＳＯＶＡ−ＢＥＲが最も良い記録要素にデータが記録された、として管理する。そして、他の記録要素を開放する（ステップＳ１４）。例えば、ＬＢＡ管理機構で、未使用セクタとして開放する。
【００６９】
このように、本実施形態においては、例えば、磁気記録媒体８０と、磁気ヘッド１１０（記録ヘッド及び再生ヘッド）と、制御部１１５と、が設けられる。制御部１１５は、例えば、復号回路と、比較機構と、論理アドレス管理機構と、を含む。復号回路は、例えば、磁気ヘッドによって再生された再生信号復号の軟判定を行う。比較機構は、例えば、軟判定情報の誤り率（ＳＯＶＡ−ＢＥＲ）を比較する。実施形態においては、情報の記録時に、同じ内容の情報を複数の記録要素に記録する。そして、複数の記録要素の状態を再生して、ＳＯＶＡ−ＢＥＲを計算する。得られたＳＯＶＡ−ＢＥＲの値を比較する。例えば、エラー率（ＳＯＶＡ−ＢＥＲ）が最もの低い記録要素と、それ以外の記録要素と、選別する。エラー率が最も低い記録要素の位置と、論理アドレスと、を論理アドレス管理機構で関連づける。他の記録要素（他の記録位置）は、論理アドレス管理機構で未使用領域として開放する。  
実施形態によれば、記録密度を向上できる磁気記録再生装置を提供できる。
【００７０】
実施形態においては、例えば、磁気ディスクの１回転で記録動作が完了する。記録動作において、第１トラックＴｒ１と第２トラックＴｒ２とを用いる場合には、２回転で記録動作が完了する。このため、例えば、記録動作におけるレイテンシが安定する。
【００７１】
例えば、従来の磁気記録再生装置においては、記録品質の判定にＬＤＰＣの硬判定後のＢＥＲを用いる。硬判定後のＢＥＲは、例えば１０−１４〜１０−１５と、低い。エラー発生率から品質を比較することは困難である。例えば、復号前の再生波形からＳＮＲ測定で優劣を判別する場合には、広帯域の再生波形を評価するため、ＳＮＲの計算回路が追加される。
【００７２】
これに対して、実施形態においては、例えば、ＳＯＶＡ−ＢＥＲの軟判定情報の比較により、記録品質が判定される。このため、従来の磁気記録再生装置に対して、追加機能が小規模である。  
参考例の磁気記録再生装置１５０Ｒにおいては、例えば、記録動作におけるレイテンシが定まらない。すなわち、情報の記録毎にベリファイを行って合否判定を行い、記録動作のリトライが繰り返して行われる。このため、成功するまでの記録の回数が変化する。このため、記録動作におけるレイテンシが不安定である。
【００７３】
これに対して、実施形態においては、同じ情報を複数の記録要素に記録し、その後に、記録品質を評価して、最終的に記録される記録要素を定める。すなわち、記録動作は記録品質の評価を行う前に完了しており、記録動作におけるレイテンシが安定する。レイテンシの予測が容易になる。安定する使いやすい磁気記録再生装置が提供できる。
【００７４】
実施形態において、複数の第１トラック記録要素ｅ１の上記の少なくとも２つの数は、例えば、３以上である。すなわち、第１記録動作ＷＯ１において、第１情報が記録される記録要素の数は、例えば、３以上である。
【００７５】
（第２の実施形態）  
本実施形態においても、上記の第１記録動作ＷＯ１及び第１再生動作ＲＯ１が行われる。すなわち、制御部１１５は、第１記録動作ＷＯ１として、磁気ヘッド１１０に、第１トラックに含まれる複数の第１トラック記録要素ｅ１の少なくとも２つに第１情報を記録させる。そして、制御部１１５は、磁気ヘッド１１０に、複数の第１トラック記録要素ｅ１の上記の少なくとも２つのうちの１つの第１情報再生記録要素ｒ１から第１情報を再生させる。本実施形態においては、第１評価動作ＥＯ１が、第１実施形態とは異なる。
【００７６】
図７は、実施形態に係る磁気記録再生装置の動作を例示するフローチャート図である。  図７に示すように、実施形態においては、複数の記録要素（セクタ）に記録を行う（ステップＳ１１０）。記録した複数の記録要素の少なくとも１つのＳＯＶＡ−ＢＥＲを計算する（ステップＳ１１）。ＳＯＶＡ−ＢＥＲの計算結果をしきい値と比較する（ステップＳ１２）。そして、例えば、ＳＯＶＡ−ＢＥＲの計算結果がしきい値よりも良好な場合は、その記録要素を、アドレスと関連づける（ステップＳ１３）。例えば、ＳＯＶＡ−ＢＥＲの計算結果がしきい値以上の場合は、その記録要素を開放する（ステップＳ１４）。そして、他の記録要素について、ＳＯＶＡ−ＢＥＲを計算する（ステップＳ１１）。他の記録要素について、ステップＳ１１、Ｓ１２、Ｓ１３を実施する。
【００７７】
すなわち、本実施形態においては、第１評価動作ＥＯ１（図７のステップＳ１１）において、少なくとも１つの記録要素についてＳＯＶＡ−ＢＥＲが計算され、その結果が、所定の値よりも良好な場合には、その記録要素を第１情報の最終的な記録として用いる。そして、他の記録要素は、開放する。
【００７８】
本実施形態において、例えば、制御部１１５は、第１評価動作ＥＯ１を実施する。第１評価動作ＥＯ１においては、複数の第１トラック記録要素ｅ１の少なくとも２つの少なくとも１つの記録状態を評価する。
【００７９】
そして、第１情報再生記録要素ｒ１の記録状態と、記録すべき情報（第１情報）と、の差は、しきい値未満である。
【００８０】
例えば、複数の第１トラック記録要素ｅ１の少なくとも２つの少なくとも１つの記録状態が評価され、その評価結果が、予め定めたしきい値未満（良好な記録状態）の場合は、その記録要素を第１情報再生記録要素ｒ１とする。そして、複数の第１トラック記録要素ｅ１の少なくとも２つのうちの、非第１情報再生記録要素ｎ１は、開放する。非第１情報再生記録要素ｎ１は、他の情報（例えば第３情報）の記録などに用いられる。
【００８１】
このように、本実施形態においては、情報の記録時に、記録されるべき情報（第１情報）が、複数の記録要素に記録される。複数の記録要素の少なくとも１つの記録状態が評価される。例えば、ＳＯＶＡ−ＢＥＲの評価が行われる。そして、その評価結果が、しきい値未満（例えばエラー訂正可能限界を下回らない品質）であれば、その記録要素を論理アドレスと関連づける。評価結果が、しきい値以上（例えばエラー訂正可能限界以下の品質）である場合は、その記録要素を未使用領域として開放し、他の記録要素について、ステップＳ１１を実施する。  
本実施形態においても、記録密度を向上できる磁気記録再生装置を提供できる。
【００８２】
本実施形態においても、複数の第１トラック記録要素ｅ１の上記の少なくとも２つの数は、例えば、３以上である。
【００８３】
上記の第１及び第２の実施形態において、記録速度と、記録すべき情報を記録する記録要素の数と、転送速度と、は、以下の関係を満たすことが好ましい。磁気ヘッド１１０が第１情報を複数第１トラック記録要素ｅ１の上記の少なくとも２つのうちの１つに記録するときの記録速度をＷｓ（ビット／秒）とする。複数の第１トラック記録要素ｅ１の上記の少なくとも２つの数（第１情報が記録される記録要素の数）をｎ（ｎは２以上の整数）とする。インターフェース１１６における、信号の転送速度をＩｓ（ビット／秒）とする。この信号は、制御部１１５に供給され、第１情報の基となる信号である。記録速度をＷｓ（ビット／秒）と、数ｎと、転送速度Ｉｓ（ビット／秒）と、は、Ｉｓ≧（Ｗｓ／ｎ）を満たすことが好ましい。
【００８４】
本実施形態においては、記録時にインターフェース１１６を介して転送された情報のｎ倍が、一旦記録される。すなわち、磁気記録再生装置の記録時の内部転送速度が１/ｎに減少する。ｎの上限をＩｓ≧（Ｗｓ／ｎ）を満たすように設定することで、内部転送速度がインターフェース１１６の信号の転送速度Ｉｓを下回ることを回避できる。これにより、高い記録速度を維持でき、高速の記録動作が得られる。
【００８５】
実施形態は、例えば、以下の特徴を含む。  
（特徴１）
複数の記録トラックを含む磁気記録媒体と、
磁気ヘッドと、
制御部と、
を備え、
前記複数の記録トラックは、第１トラックを含み、
前記制御部は、前記磁気ヘッドに、前記第１トラックに含まれる複数の第１トラック記録要素の少なくとも２つに第１情報を記録する第１記録動作を実施させ、
前記制御部は、前記磁気ヘッドに、前記複数の第１トラック記録要素の前記少なくとも２つのうちの１つの第１情報再生記録要素から前記第１情報を再生する第１再生動作を実施させる、磁気記録再生装置。
（特徴２）  
前記複数の記録トラックは、第２トラックをさらに含み、
前記制御部は、前記磁気ヘッドに、前記複数の第１トラック記録要素の少なくとも１つと、前記第２トラックに含まれる複数の第２トラック記録要素の少なくとも１つと、に第２情報を記録する第２記録動作を実施させ、
前記制御部は、前記磁気ヘッドに、前記複数の第１トラック記録要素の前記少なくとも１つと、前記複数の第２トラック記録要素の前記少なくとも１つと、から選択された１つの第２情報再生記録要素から、前記第２情報を再生する第２再生動作を実施させる、特徴１記載の磁気記録再生装置。
（特徴３）  
前記第２トラックは、前記第１トラックの隣に位置する、特徴２記載の磁気記録再生装置。
（特徴４）  
前記複数の第１トラック記録要素の前記少なくとも２つは、前記第１情報再生記録要素とは異なる非第１情報再生記録要素を含み、
前記制御部は、前記磁気ヘッドに、前記非第１情報再生記録要素に第３情報を記録する第３記録動作をさらに実施させる、特徴１〜３のいずれか１つに記載の磁気記録再生装置。
（特徴５）  
前記複数の第１トラック記録要素は、前記非第１情報再生記録要素とは異なり前記第１情報再生記録要素とは異なる記録要素を含み、
前記第３記録動作は、前記非第１情報再生記録要素の少なくとも１つと、前記非第１情報再生記録要素とは異なり前記第１情報再生記録要素とは異なる前記記録要素と、に前記第３情報を記録することを含み、
前記制御部は、前記磁気ヘッドに、前記非第１情報再生記録要素と、前記非第１情報再生記録要素とは異なり前記第１情報再生記録要素とは異なる前記記録要素と、から選択された第３情報再生記録要素から前記第３情報を再生する第３再生動作を実施させる、特徴４記載の磁気記録再生装置。
（特徴６）  
前記非第１情報再生記録要素は、複数設けられ、
前記第３記録動作は、前記磁気ヘッドに、前記複数の非第１情報再生記録要素の少なくとも２つに、前記第３情報を記録することを含み、
前記制御部は、前記磁気ヘッドに、前記複数の非第１情報再生記録要素の前記少なくとも２つのうちの１つの第３情報再生記録要素から前記第３情報を再生する第３再生動作を実施させる、特徴４記載の磁気記録再生装置。
（特徴７）  
前記複数の記録トラックは、第２トラックをさらに含み、
前記複数の第１トラック記録要素の前記少なくとも２つは、前記第１情報再生記録要素とは異なる非第１情報再生記録要素を含み、
前記制御部は、前記磁気ヘッドに、前記非第１情報再生記録要素に第３情報を記録する第３記録動作をさらに実施させ、
前記第３記録動作は、前記非第１情報再生記録要素の少なくとも１つと、前記第２トラックに含まれる複数の第２トラック記録要素の少なくとも１つと、に前記第３情報を記録することを含み、
前記制御部は、前記磁気ヘッドに、前記非第１情報再生記録要素と、前記第２トラックに含まれる複数の第２トラック記録要素の前記少なくとも１つと、から選択された第３情報再生記録要素から前記第３情報を再生する第３再生動作を実施させる、特徴１記載の磁気記録再生装置。
（特徴８）  
前記制御部は、前記複数の第１トラック記録要素の前記少なくとも２つの記録状態に基づいて、前記第１情報再生記録要素を定める第１評価動作をさらに実施し、
前記第１再生動作は、前記第１評価動作により定められた前記第１情報再生記録要素から前記第１情報を再生することを含む、特徴１〜７のいずれか１つに記載の磁気記録再生装置。
（特徴９）  
前記制御部は、前記複数の第１トラック記録要素の前記少なくとも２つの少なくとも１つの記録状態を評価する第１評価動作をさらに実施し、
前記第１情報再生記録要素の前記記録状態と、前記第１情報と、の差は、しきい値未満である、特徴１〜７のいずれか１つに記載の磁気記録再生装置。
（特徴１０）  
前記制御部は、前記複数の第１トラック記録要素の前記少なくとも２つの記録状態を評価する第１評価動作をさらに実施し、
前記複数の第１トラック記録要素の前記少なくとも２つは、前記第１情報再生記録要素とは異なる非第１情報再生記録要素を含み、
前記第１情報再生記録要素の記録状態と、前記第１情報と、の第１差は、前記非第１情報再生記録要素の記録状態と、前記第１情報と、の第２差よりも小さい、特徴１〜３のいずれか１つに記載の磁気記録再生装置。
（特徴１１）  
前記複数の第１トラック記録要素の前記少なくとも２つは、前記第１情報再生記録要素と、前記第１情報再生記録要素とは異なる非第１情報再生記録要素と、からなり、
前記第１情報再生記録要素の記録状態と、前記第１情報と、の第１差は、前記非第１情報再生記録要素の記録状態と、前記第１情報と、の第２差よりも小さい、特徴１〜３のいずれか１つに記載の磁気記録再生装置。
（特徴１２）  
前記非第１情報再生記録要素は、複数設けられ、
前記第１差は、前記複数の非第１情報再生記録要素のそれぞれの記録状態と、前記第１情報と、の差よりも小さい、特徴１１記載の磁気記録再生装置。
（特徴１３）  
前記第１評価動作は、Soft Output Viterbi Bit Error Rateの導出を含む、特徴８〜１２のいずれか１つに記載の磁気記録再生装置。
（特徴１４）  
前記制御部は、前記第１評価動作の結果に基づいて、前記第１情報再生記録要素を、前記第１情報に関する論理アドレスと関連づける第１関連づけ動作を実施する特徴８〜１３のいずれか１つに記載の磁気記録再生装置。
（特徴１５）  
前記複数の第１トラック記録要素の前記少なくとも２つの数は、３以上である、特徴１〜１１のいずれか１つに記載の磁気記録再生装置。
（特徴１６）  
前記磁気ヘッドが前記第１情報を前記複数の第１トラック記録要素の前記少なくとも２つの１つに記録するときの記録速度Ｗｓ（ビット／秒）と、
前記複数の第１トラック記録要素の前記少なくとも２つの数ｎと、
前記制御部に供給され前記第１情報の基となる信号の転送速度Ｉｓ（ビット／秒）と、は、
Ｉｓ≧（Ｗｓ／ｎ）
を満たす、特徴１〜１５のいずれか１つに記載の磁気記録再生装置。
（特徴１７）  
前記複数の記録トラックは、第２トラックをさらに含み、
前記制御部は、前記磁気ヘッドに、前記複数の第１トラック記録要素の少なくとも２つと、前記第２トラックに含まれる複数の第２トラック記録要素の少なくとも１つと、に第２情報を記録する第２記録動作を実施させ、
前記制御部は、前記磁気ヘッドに、前記複数の第１トラック記録要素の前記少なくとも２つと、前記複数の第２トラック記録要素の前記少なくとも１つと、から選ばれた１つの第２情報再生記録要素から、前記第２情報を再生する第２再生動作を実施させる、特徴１記載の磁気記録再生装置。
（特徴１８）  
前記第２トラックは、前記第１トラックの隣に位置する、特徴１７記載の磁気記録再生装置。
（特徴１９）  
前記複数の第１トラック記録要素の前記少なくとも２つは、前記第１情報再生記録要素とは異なる非第１情報再生記録要素を含み、
前記制御部は、前記磁気ヘッドに、前記非第１情報再生記録要素に第３情報を記録する第３記録動作をさらに実施させる、特徴１７または１８に記載の磁気記録再生装置。
（特徴２０）  
前記非第１情報再生記録要素は、複数設けられ、
前記第３記録動作は、前記磁気ヘッドに、前記複数の非第１情報再生記録要素の少なくとも２つに、前記第３情報を記録することを含み、
前記制御部は、前記磁気ヘッドに、前記複数の非第１情報再生記録要素の前記少なくとも２つのうちの１つの第３情報再生記録要素から前記第３情報を再生する第３再生動作を実施させる、特徴１９記載の磁気記録再生装置。
（特徴２１）  
前記制御部は、前記複数の第１トラック記録要素の前記少なくとも２つの記録状態に基づいて、前記第１情報再生記録要素を定める第１評価動作をさらに実施し、
前記第１再生動作は、前記第１評価動作により定められた前記第１情報再生記録要素から前記第１情報を再生することを含む、特徴１７〜２０のいずれか１つに記載の磁気記録再生装置。
（特徴２２）  
前記制御部は、前記複数の第１トラック記録要素の前記少なくとも２つの少なくとも１つの記録状態を評価する第１評価動作をさらに実施し、
前記第１情報再生記録要素の前記記録状態と、前記第１情報と、の差は、しきい値未満である、特徴１７〜２０のいずれか１つに記載の磁気記録再生装置。
（特徴２３）（第１情報の記録状態が、他よりも良好な記録要素から読み出す）  
前記制御部は、前記複数の第１トラック記録要素の前記少なくとも２つの記録状態を評価する第１評価動作をさらに実施し、
前記複数の第１トラック記録要素の前記少なくとも２つは、前記第１情報再生記録要素とは異なる非第１情報再生記録要素を含み、
前記第１情報再生記録要素の記録状態と、前記第１情報と、の第１差は、前記非第１情報再生記録要素の記録状態と、前記第１情報と、の第２差よりも小さい、特徴１７または１８に記載の磁気記録再生装置。
（特徴２４）  
前記複数の第１トラック記録要素の前記少なくとも２つは、前記第１情報再生記録要素と、前記第１情報再生記録要素とは異なる非第１情報再生記録要素と、からなり、
前記第１情報再生記録要素の記録状態と、前記第１情報と、の第１差は、前記非第１情報再生記録要素の記録状態と、前記第１情報と、の第２差よりも小さい、特徴１７または１８に記載の磁気記録再生装置。
（特徴２５）  
前記非第１情報再生記録要素は、複数設けられ、
前記第１差は、前記複数の非第１情報再生記録要素のそれぞれの記録状態と、前記第１情報と、の差よりも小さい、特徴２４記載の磁気記録再生装置。
（特徴２６）（ＳＯＶＡ  ＢＥＲ）  
前記第１評価動作は、Soft Output Viterbi Bit Error Rateの導出を含む、特徴２１〜２５のいずれか１つに記載の磁気記録再生装置。
（特徴２７）  
前記制御部は、前記第１評価動作の結果に基づいて、前記第１情報再生記録要素を、前記第１情報に関する論理アドレスと関連づける第１関連づけ動作を実施する特徴２１〜２６のいずれか１つに記載の磁気記録再生装置。
（特徴２８）  
前記複数の第１トラック記録要素の前記少なくとも２つの数は、３以上である、特徴１７〜２４のいずれか１つに記載の磁気記録再生装置。
（特徴２９）  
前記磁気ヘッドが前記第１情報を前記複数の第１トラック記録要素の前記少なくとも２つの１つに記録するときの記録速度Ｗｓ（ビット／秒）と、
前記複数の第１トラック記録要素の前記少なくとも２つの数ｎと、
前記制御部に供給され前記第１情報の基となる信号の転送速度Ｉｓ（ビット／秒）と、は、
Ｉｓ≧（Ｗｓ／ｎ）
を満たす、特徴１７〜２８のいずれか１つに記載の磁気記録再生装置。
【００８６】
実施形態によれば、記録密度を向上できる磁気記録再生装置を提供できる。
【００８７】
なお、本願明細書において、「垂直」及び「平行」は、厳密な垂直及び厳密な平行だけではなく、例えば製造工程におけるばらつきなどを含むものであり、実質的に垂直及び実質的に平行であれば良い。
【００８８】
以上、具体例を参照しつつ、本発明の実施の形態について説明した。しかし、本発明は、これらの具体例に限定されるものではない。例えば、磁気記録再生装置に含まれる磁気記録媒体、磁気ヘッド及び制御部などの各要素の具体的な構成に関しては、当業者が公知の範囲から適宜選択することにより本発明を同様に実施し、同様の効果を得ることができる限り、本発明の範囲に包含される。
【００８９】
また、各具体例のいずれか２つ以上の要素を技術的に可能な範囲で組み合わせたものも、本発明の要旨を包含する限り本発明の範囲に含まれる。
【００９０】
その他、本発明の実施の形態として上述した磁気記録再生装置を基にして、当業者が適宜設計変更して実施し得る全ての磁気記録再生装置も、本発明の要旨を包含する限り、本発明の範囲に属する。
【００９１】
その他、本発明の思想の範疇において、当業者であれば、各種の変更例及び修正例に想到し得るものであり、それら変更例及び修正例についても本発明の範囲に属するものと了解される。
【００９２】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００９３】
８０…磁気記録媒体、  ８０ｃ…シリンダ、  １１０…磁気ヘッド、  １１５…制御部、  １１６…インターフェース、  １５０、１５０Ｒ…磁気記録装置、  ＢＥＲ１…記録品質、  Ｄｒ…トラック幅方向、  Ｄｔ…トラック方向、  ＥＯ１〜ＥＯ３…第１〜第３評価動作、  Ｆ１…頻度、  ＲＯ１〜ＲＯ３…第１〜第３再生動作、  Ｓ０１、Ｓ０２、Ｓ０３、Ｓ１１、Ｓ１２、Ｓ１３、Ｓ１４、Ｓ９１、Ｓ１１０…ステップ、  ＳＴ０…初期状態、  Ｔｒ…記録トラック、  Ｔｒ０…トラック、  Ｔｒ１、Ｔｒ２…第１、第２トラック、  ＷＯ１〜ＷＯ３…第１〜第３記録動作、  ｅ０…トラック記録要素、  ｅ１、ｅ２…第１、第２トラック記録要素、  ｎ１〜ｎ３…非第１〜第３情報再生記録要素、  ｒ１〜ｒ３…第１〜第３情報再生記録要素、  ｓ０…記録前状態、  ｓｗ…記録状態、  ｗ１１〜ｗ１５、ｗ２４、ｗ２５、ｗ３１〜ｗ３５…記録要素
【図１】
0006488212.tif 000002
【図２】
0006488212.tif 000003
【図３】
0006488212.tif 000004
【図４】
0006488212.tif 000005
【図５】
0006488212.tif 000006
【図６】
0006488212.tif 000007
【図７】
0006488212.tif 000008